(57)【特許請求の範囲】
【請求項１】
容器の口筒部に取着され、キャップ本体と上蓋とからなるヒンジキャップにおいて、
キャップ本体は、容器口筒部に嵌着される係合筒部と注出筒を備え、
注出筒の内周には係合部が設けられ、
係合筒部の上部には、蓋係合部が突設されており、
上蓋は、頂壁と外周壁と、外周がキャップ本体の注出筒内周と係合する密封リングとを備え、
外周壁の外周には、つまみを配設し、下端内周には、キャップ本体の蓋係合部に係合する係合部が設けられ、
密封リングの外周下端部には、上部がキャップ本体の注出筒の係合部の下部と係合するとともに、閉蓋時に注出筒の係合部より下方に僅かな距離をおいて位置する係合部が配設されていることを特徴とするヒンジキャップ。
【発明の詳細な説明】
【技術分野】
【０００１】
本発明は、ヒンジキャップ、とくに、容器内に充填した加熱殺菌された内容液により上蓋内の空気圧が上昇してキャップ上蓋が開蓋されることを防止するとともに、使用する際に、簡単に開蓋することができるようにしたヒンジキャップに関するものである。
【背景技術】
【０００２】
殺菌のため加熱された内容液を充填するヒンジキャップにおいて、内容液を充填し、ヒンジキャップを打栓した後、容器内部を殺菌し、次いで、容器外部より温水シャワーで洗浄、冷却することは従来より行われている。
そしてまた、殺菌のための加熱処理によるキャップ内の空気圧の上昇により、上蓋が開蓋することを防止するために、キャップ本体の係合用の突出部に係合する上蓋の突出部に、主突起と補助突起を設け、係止機構を二重にして上蓋の開蓋を防止することも、従来より知られている（例えば、特許文献１参照）。
【特許文献１】特開平１１−３５０６１号公報
【発明の開示】
【発明が解決しようとする課題】
【０００３】
しかしながら、上記特許文献１記載の従来のヒンジキャップは、補助突起の係合によって、それ以上の上蓋の上昇を抑制し、上蓋の開蓋を防止するようにしているので、使用者が上蓋を開閉するためには、補助突起をキャップ本体の係合用の突出部を乗り越えさせなければならず、開蓋の際に大きな力が必要であるという問題があった。
【０００４】
本発明は、上記問題を解決することを課題とし、加熱充填に伴う上蓋内の圧力上昇による上蓋の開蓋を防止するとともに、内容物を使用する際に、上蓋を少ない開蓋力で開蓋できるようにしたヒンジキャップを提供することを目的とする。
【課題を解決するための手段】
【０００５】
本発明は、上記の課題を解決するため、ヒンジキャップとして、容器の口筒部に取着され、キャップ本体と上蓋とからなるヒンジキャップにおいて、キャップ本体は、容器口筒部に嵌着される係合筒部と注出筒を備え、注出筒の内周には係合部が設けられ、係合筒部の上部には、蓋係合部が突設されており、上蓋は、頂壁と外周壁と、外周がキャップ本体の注出筒内周と係合する密封リングとを備え、外周壁の外周には、つまみを配設し、下端内周には、キャップ本体の蓋係合部に係合する係合部が設けられ、密封リングの外周下端部には、上部がキャップ本体の注出筒の係合部の下部と係合するとともに、閉蓋時に注出筒の係合部より下方に僅かな距離をおいて位置する係合部が配設されていることを特徴とする構成を採用する。
【０００６】
上記「僅かな距離」とは、上蓋の閉蓋時に、外周壁の係合部の係合突部が、蓋係合部の膨出部下面に接する位置から膨出部の突出部に至たる距離に、ほぼ等しい距離である。
【発明の効果】
【０００７】
加熱処理時の圧力上昇を、密封リングの係合突部と、キャップ本体の注出筒の係合突部とを係合させ、上蓋の上昇を防ぐことができ、そのことによって上蓋の係合部と、キャップ本体の蓋係合部との係合が外れるのを阻止することができる。
【０００８】
さらに、上蓋の係合部とキャップ本体の蓋係合部との係合を外す力、および、上蓋の密封リングとキャップ本体の注出筒との係合を外す力とを時間をおいて別々に作用させることができ、上蓋の開封力を低減することができる。
【発明を実施するための最良の形態】
【０００９】
次に、本発明のヒンジキャップについて、図面を参照して説明する。
図１において、Ａは容器に打栓されるキャップ本体、Ｂはキャップ本体ＡにヒンジＣを介して一体成形された上蓋である。
【００１０】
キャップ本体Ａは、係合筒部１と、該係合筒部１の内側に連設される注出筒２と、係合筒部１外周に一定の間隔をもって連設され、上端外周の所定位置にヒンジＣを連設する外周筒部３とからなっている。
【００１１】
係合筒部１は、リング状の上壁４と、上壁４の内周縁に垂設された内筒５と、上壁４の外周縁に垂設された外筒６と、上壁４の上部に立設され、上蓋Ｂと係合する蓋係合部７とからなっている。
外筒６の内周には、係合突条８が設けられており、打栓時には、係合筒部１は、内筒５外周と外筒６内周により、容器の口筒部を挟持するように、キャップ本体Ａを容器の口筒部に装着させる。
【００１２】
内筒５の下端から内方に環状底壁９が連設され、環状底壁９の内縁には、注出筒２が立設されている。
【００１３】
注出筒２の内周下部には、底壁１０が設けられており、底壁１０には、注出口を開口するための薄肉の弱化部１１により区画された除去部１２が設けられており、該除去部１２には、プルリング１３が立設されている。
注出筒２の内周上部には、係合突部１４が配設されている。
【００１４】
外筒６の下端外周と外周筒部３の下端内周は、外周筒部３のヒンジＣの反対側に設けられた連結片１５と、間隔をおいて複数配設された破断可能な弱化片１６とを介して連設されている。
【００１５】
蓋係合部７の外周には、外筒６外周より縮径された縮径部１７と、その上端部に縮径部１７より拡径された膨出部１８とが形成されている。
【００１６】
上蓋Ｂは、頂壁２０と、頂壁２０の周縁に垂設された外周壁２１とを具えており、頂壁２０下面には、キャップ本体Ａの注出筒２の内周に挿入される密封リング２２が垂設されている。
外周壁２１の外周下端の所定の位置に、ヒンジＣが連設され、ヒンジＣの反対側には、つまみ２３が突設されている。
【００１７】
外周壁２１の内周下端は、拡径され、キャップ本体Ａの係合筒部１の蓋係合部７と係合する係合部２４が設けられており、係合部２４は、キャップ閉蓋時にキャップ本体Ａの蓋係合部７の上面に当接する上内面２４ａと、蓋係合部７の外周と係合する側内面２４ｂとから形成されている。
【００１８】
上内面２４ａには、溝２５が凹設されている。
側内面２４ｂの下端には、キャップ本体Ａの蓋係合部７の膨出部１８と係合する係合突部２６が設けられている。
【００１９】
密封リング２２の外周下端には、上部がキャップ本体Ａの注出筒２の係合突部１４の下部と係合するとともに、図１（ｂ）に示すように、キャップ閉蓋時に係合突部１４より下方に僅かな距離をおいて位置する係合突部２７が配設されている。
【００２０】
その距離は、上蓋の閉蓋時に、上蓋の係合突部２６が、膨出部１８の下面に接する位置から膨出部１８の突出部までに至たる距離に、ほぼ等しい距離である。
【００２１】
次に、本発明のヒンジキャップの作用効果について説明する。
ヒンジキャップの組立は、上蓋Ｂの外周壁２１の係合部２４とキャップ本体Ａの蓋係合部７とを係合させるとともに、上蓋Ｂの密封リング２２とキャップ本体Ａの注出筒２とを係合させ、上蓋Ｂをキャップ本体Ａに閉蓋する。
【００２２】
その際、図１に示すように、キャップ本体Ａの注出筒２と、注出筒２に係合する上蓋Ｂの密封リング２２により、その内側に空気室ａ、外側に空気室ｂが形成される。
【００２３】
容器の使用にあたって、容器内に加熱された内容液を充填し、容器口筒部１に、閉蓋したヒンジキャップを上方から打栓する。
打栓前のヒンジキャップ内は、図１に示すように、上蓋Ｂの外周壁２１の係合部２４の係合突部２６と、キャップ本体Ａの係合筒部１の蓋係合部７の膨出部１８との係合により、ヒンジキャップ内と外との間の空気の流通は、封鎖されている。
【００２４】
打栓後に、加熱殺菌された内容液によって容器内が殺菌され、次いで、容器外から温水シャワーがかけられ、冷却される。
その際、加熱処理により、ヒンジキャップ内の空気は膨張し、内圧が高くなる。
【００２５】
内圧上昇によって、図２（ａ）に示すように、上蓋Ｂのつまみ２３側が持ち上げられるが、空気室ａの内圧上昇によって、上蓋Ｂの密閉リング２２も上昇し、密封リング２２の係合突部２７の上部が、キャップ本体Ａの注出筒２の係合突部１４の下部に係合することによって、空気室ａは維持され、上蓋Ｂがそれ以上上昇することを阻止し、また、上蓋Ｂの外周壁の係合部２４と、キャッ部本体の蓋係合部７との係合が外れないので、空気室ｂも維持され、二個所の係合によって、全体として上蓋Ｂが開蓋することを防止している。
【００２６】
上蓋Ｂ内は密閉状態が保たれるので、温水シャワー、または冷却水がかけられても、上蓋Ｂ内は密閉状態が保たれるので、空気とともにシャワーがキャップ内に吸入されることはない。
【００２７】
本発明のヒンジキャップは、内圧上昇によって上蓋Ｂが上昇する際に、上蓋Ｂの密封リング２２の係合突部２７の上部と、キャップ本体Ａの注出筒２の係合突部１４の下部が係合することによって、上蓋Ｂがそれ以上上昇することを防ぐことができるので、従来のヒンジキャップに比べ、上蓋Ｂの外周壁２１の係合部２４とキャップ本体Ａの蓋係合部７との係合力を弱く設定することができる。
【００２８】
上蓋Ｂを開蓋する際には、上蓋Ｂのつまみ２３に指などを掛け、上方に持ち上げる。
本発明のヒンジキャップは、上蓋Ｂの外周壁２１の係合部２４とキャップ本体Ａの蓋係合部７との係合力を弱く設定できるので、図２（ａ）に示すように、つまみ２３を持ち上げ始めると、上蓋Ｂの外周壁２１の係合部２４とキャップ本体Ａの蓋係合部７との係合を簡単に外すことができる。
【００２９】
さらに、つまみ２３を持ち上げ、図２（ｂ）に示すように、上蓋Ｂの密封リング２２の係合突部２７と、キャップ本体Ａの注出筒６の係合突部１４との係合を外し、上蓋Ｂを開蓋することができる。
【００３０】
本発明のヒンジキャップは、上蓋Ｂを持ち上げることによって、上蓋Ｂの外周壁２１の係合部２４とキャップ本体Ａの蓋係合部７との係合を外す力、および、上蓋Ｂの密封リング２２の係合突部２７とキャップ本体Ａの注出筒６の係合突部１４との係合を外す力とを時間をおいて別々に作用させることができ、従来のヒンジキャップに比べ、さらに、上蓋の開封力を低減することができる。
【００３１】
前記実施例では、注出筒２に係合突部１４を設け、密封リング２２の係合突部２７と係合させるようにしているが、注出筒２の係合突部１４に換えて、係合凹部を設けてもよく、空気室ａの圧力上昇時に、密封リングを一定の位置に保持できればよいので、実施例に限定されない。
【産業上の利用可能性】
【００３２】
本発明は、ヒンジキャップにおいて、加熱充填した内容液、温水シャワー等により上蓋内の空気が加熱され、ヒンジキャップの上蓋が開蓋することを防止できるとともに、上蓋の開蓋の際にも、上蓋の開封力を低減することができるので、各種の加熱充填する内容液の容器のヒンジキャップとして広く利用することができる。
【図面の簡単な説明】
【００３３】
【図１】本発明ヒンジキャップの説明図で、（ａ）は断面立面図、（ｂ）は要部拡大図である。
【図２】ヒンジキャップの開蓋の説明図で、（ａ）は開蓋始め、（ｂ）は開蓋時である。
【符号の説明】
【００３４】
Ａ          キャップ本体
Ｂ          上蓋
Ｃ          ヒンジ
ａ、ｂ      空気室
１          係合筒部
２          注出筒
３          外周筒部
４          上壁
５          内筒
６          外筒
７          蓋係合部
８          係合突条
９          環状底壁
１０        底壁
１１        弱化部
１２        除去部
１３        プルリング
１４、２６、２７  係合突部
１５        連結片
１６        弱化片
１７        縮径部
１８        膨出部
２０        頂壁
２１        外周壁
２２        密封リング
２３        つまみ
２４        係合部
２４ａ      上内面
２４ｂ      側内面
２５        溝
【図１】
0004937873.tif 000002
【図２】
0004937873.tif 000003